(57)【要約】【課題】持ち上げが可能でなおかつ支柱間から脱落することない建築足場用幅木を提供すること。【解決手段】建築足場における同踏み板の縁部に沿った足元位置に配置される建築足場用幅木１は左右の前記支柱間に配置される長尺に形成された幅木本体２と、幅木本体２の両側端部にそれぞれ形成される第１及び第２の挟持部Ａ，Ｂとを備えている。幅木１は左右の支柱間に取り付けられる。幅木１の踏み板上からの取り外し作業にあっては幅木本体２を第２の挟持部Ｂを基部として第１の挟持部Ａ側を上方に回動させることで左右の支柱との挟持関係を解除させる。幅木本体２には第１の挟持部Ａを上方に回動させた際に同幅木本体２の回動軌跡上にある支柱側の緊結ポイントと干渉するストッパ１２を配設する。このストッパ１２を作業者が能動的に緊結ポイントと干渉しない位置に退避させることで幅木１は取り外し可能となる。【選択図】      図１
2006241778.tif 000002
【特許請求の範囲】
【請求項１】
所定間隔で立設配置されその外周に上下方向に一定間隔で緊結ポイントが突設された複数の支柱と、少なくとも一端にくさび部材を有し同支柱の同緊結ポイントに対して同くさび部材を打ち込んで連結される複数の梁部材と、同梁部材又は同支柱に対して架設された通路用の踏み板とから基本的骨格が構築される建築足場における同踏み板の縁部に沿った足元位置に配置される建築足場用幅木であって、
同建築足場用幅木は所定間隔をおいて配置された左右の前記支柱間に配置される長尺に形成された幅木本体と、同幅木本体の長手方向の両側端部にそれぞれ形成される前記第１及び第２の支柱を前後方向から挟持する第１及び第２の挟持部とを備え、同両挟持部によって前記踏み板からの前後方向への脱落を防止するとともに左右方向への移動を規制し、同踏み板上からの取り外し作業にあっては同幅木本体を同第１及び第２の挟持部のいずれか一方側を基部としていずれか他方側を上方に回動させることで同第１又は第２の支柱との挟持関係を解除させるようにした建築足場用幅木において、
前記幅木本体には前記取り外し作業で同幅木本体のいずれか他方を上方に回動させた際に同幅木本体の回動軌跡上にある前記緊結ポイントと干渉するストッパ部材を配設するとともに、同ストッパ部材を同緊結ポイントと干渉しない位置に退避可能としたことを特徴とする建築足場用幅木。
【請求項２】
前記ストッパ部材は前記幅木本体を挟んで同幅木本体の表裏面にそれぞれ突起する一対の突起部材から構成され、両突起部材は互いに連結されて一体的に移動可能であることを特徴とする請求項１に記載の建築足場用幅木。
【請求項３】
前記ストッパ部材は前記緊結ポイントと干渉しない退避位置に退避させられた場合に自動的に同緊結ポイントと干渉する原位置に復帰するための復帰手段を備えていることを特徴とする請求項１又は２に記載の建築足場用幅木。
【請求項４】
前記幅木本体は長手方向に沿って補強凹部が折り曲げ状に形成された板体からなり、前記ストッパ部材は同補強凹部の底部位置に配設されるとともに、表裏面に突起した同ストッパ部材の前記突起部材の厚みは同補強凹部の深さの半分以下であることを特徴とする請求項２又は３のいずれかに記載の建築足場用幅木。
【発明の詳細な説明】
【技術分野】
【０００１】
本発明は、建築現場等に仮設される足場の踏み板の縁部に沿った足元位置に配置される建築足場用幅木に関するものである。
【背景技術】
【０００２】
一般に建築現場等に仮設される足場は、所定の間隔で立設された支柱と、梁部材（手摺り、ブラケット等）とを縦横に組み合わせ梁部材に踏み板を架設することで基本的骨格が構築されている。作業者はこの踏み板上で作業をし、また、踏み板上を移動する。
【０００３】
しかしながら、作業者が作業中に踏板上で足の位置を動かす場合や踏板を移動する場合に必ずしも足下を注視しているわけではない。むしろ作業に没頭すれば足下はそれほど気にせずに踏み板上で行動することが多いといえる。その場合に思わず踏み板の外側に足を踏み外してしまうような場合がある。足場には支柱や手摺りがあるため作業者が落下するわけではないが、体勢が崩れて物が落下したりする原因ともなる。また、作業者の心理的な面でもこのような踏み外しがあると思うと作業に没頭できない可能性もある。
そのため、出願人は特許文献１のような建築足場用幅木を提案している。このような建築足場用幅木を踏み板の縁部に配設することで上記のような課題は解決する。
特許文献１の建築足場用幅木の取り付け作業においてはその図６に示すようにまず左右の支柱１６間に建築足場用幅木１（以下、幅木１）を傾けた状態で配置する。傾けるのは支柱１６間隔よりも幅木１の長手方向全長のほうが長いためである。次いで幅木１を水平にしてブラケット５２上にセットすれば幅木端部３，４と係合板７，１１が両支柱１６を前後から挟持することとなり、幅木１は支柱１６間に介在されることとなる。つまり一旦ブラケット５２上にセットされた幅木１は支柱１６間において左右及び前後方向の移動が規制されることとなり、再び幅木１を傾けない限り取り出すことはできなくなっている。
【０００４】
【特許文献１】特開２００４−１７６３１０号公報
【発明の開示】
【発明が解決しようとする課題】
【０００５】
一旦セットされた建築足場用幅木は上記のような使用目的から考えて容易に取り外したり移動させたりできることは好ましくない。しかし、実際には作業において建築足場用幅木を持ち上げなければならない場合が生じる。例えば荷物を下の階から上の階に手渡す場合や、電源からケーブルを引き込む場合に、ケーブルを建築足場用幅木の上側を通すとケーブルが垂れ下がって通行の支障になる場合等では建築足場用幅木を持ち上げてその下を通過させる必要が生じる場合もありうる。
その際に、あまり高くかつ傾けて持ち上げすぎると上記特許文献１の取り付け作業の逆工程を行うようなこととなり支柱の間に落とし込んだ建築足場用幅木が外れてしまう可能性もあった。
また、実際に建築足場用幅木が外れない程度に持ち上げるとしても、作業者の心理としては万一の外れる可能性があると思うと必要以上に慎重に建築足場用幅木を持ち上げることとなり、作業効率が低下することとなってしまう。
本発明は、上記課題を解決するためのものである。その目的は、持ち上げが可能でなおかつ支柱間から脱落することない建築足場用幅木を提供することにある。
【課題を解決するための手段】
【０００６】
上記課題を解決するために、請求項１の発明では、所定間隔で立設配置されその外周に上下方向に一定間隔で緊結ポイントが突設された複数の支柱と、少なくとも一端にくさび部材を有し同支柱の同緊結ポイントに対して同くさび部材を打ち込んで連結される複数の梁部材と、同梁部材又は同支柱に対して架設された通路用の踏み板とから基本的骨格が構築される建築足場における同踏み板の縁部に沿った足元位置に配置される建築足場用幅木であって、同建築足場用幅木は所定間隔をおいて配置された左右の前記支柱間に配置される長尺に形成された幅木本体と、同幅木本体の長手方向の両側端部にそれぞれ形成される前記第１及び第２の支柱を前後方向から挟持する第１及び第２の挟持部とを備え、同両挟持部によって前記踏み板からの前後方向への脱落を防止するとともに左右方向への移動を規制し、同踏み板上からの取り外し作業にあっては同幅木本体を同第１及び第２の挟持部のいずれか一方側を基部としていずれか他方側を上方に回動させることで同第１又は第２の支柱との挟持関係を解除させるようにした建築足場用幅木において、前記幅木本体には前記取り外し作業で同幅木本体のいずれか他方を上方に回動させた際に同幅木本体の回動軌跡上にある前記緊結ポイントと干渉するストッパ部材を配設するとともに、同ストッパ部材を同緊結ポイントと干渉しない位置に退避可能としたことをその要旨とする。
【０００７】
このような構成では、左右に配置された第１及び第２の支柱間に建築足場用幅木が踏み板の縁部に沿った位置にセットされた状態で幅木本体の第１及び第２の挟持部によって踏み板からの前後方向への脱落が防止されるとともに踏み板の縁部に沿った方向、つまり左右方向への移動も規制される。そのため、建築足場用幅木は唯一上方向への移動だけが可能である。つまり、両挟持部が邪魔となって建築足場用幅木を第１及び第２の支柱間から取り出すことはできない。
このような建築足場用幅木を第１及び第２の支柱間から取り出す場合には第１及び第２の挟持部のいずれか一方を基部として幅木本体を上方に回動させるようにする。回動に伴い幅木本体の第１及び第２の挟持部のいずれか他方が上方に位置する緊結ポイントに接近していく。この時、幅木本体にストッパ部材が配設されているため、ストッパ部材が緊結ポイントと干渉しそれ以上の回動が阻止される。このストッパ部材が干渉している状態では未だ建築足場用幅木を第１及び第２の支柱間から取り出すことはできない。そのため、ストッパ部材を緊結ポイントと干渉しない位置に一旦退避させ幅木本体の更なる回動を許容させる。そして、幅木本体を所定位置まで回動させることで第１及び第２の挟持部と第１及び第２の支柱との係合（挟持）関係が解除されることとなり建築足場用幅木を第１及び第２の支柱間から取り出すことが可能となる。
【０００８】
請求項２の発明では請求項１の発明の構成に加え、前記ストッパ部材は前記幅木本体を挟んで同幅木本体の表裏面にそれぞれ突起する一対の突起部材から構成され、両突起部材は互いに連結されて一体的に移動可能であることをその要旨とする。
このような構成では、上記請求項１の発明の構成に加え、ストッパ部材は表裏面に突起するため、作業者は幅木本体のいずれか操作しやすい面側からストッパ部材の退避操作をすることが可能となる。
この際に、ストッパ部材を構成する一対の突起部材の形状を対称形状とすることが操作上好ましい。また、突起部材の形状に退避方向を示す表示手段を設けることが好ましい。例えば形状自体を矢印型にしたり、表面に移動させる方向を示す矢印を貼付したり刻設したりすることが考えられる。
請求項３の発明では請求項１又は２の発明の構成に加え、前記ストッパ部材は前記緊結ポイントと干渉しない退避位置に退避させられた場合に自動的に同緊結ポイントと干渉する原位置に復帰するための復帰手段を備えていることをその要旨とする。
このように構成することで上記請求項１又は２の発明の作用に加え、作業者によって退避させられたストッパ部材は復帰手段によって自動的に緊結ポイントと干渉する原位置に復帰することとなる。復帰手段は具体的には例えばバネのような付勢部材を使用することが可能である。
【０００９】
請求項４の発明では請求項２又は３の発明の構成に加え、前記幅木本体は長手方向に沿って補強凹部が折り曲げ状に形成された板体からなり、前記ストッパ部材は同補強凹部の底部位置に配設されるとともに、表裏面に突起した同ストッパ部材の前記突起部材の厚みは同補強凹部の深さの半分以下であることをその要旨とする。
このような構成では幅木本体を上下方向に重ねて積載しても、ストッパ部材の突起部材の厚みは補強凹部の高さ内に収まるため、積載する際にストッパ部材が邪魔となることはない。尚、補強凹部は表裏反対面側から目視すると凸条に構成されることとなる。
【発明の効果】
【００１０】
上記各請求項に記載の発明では、踏み板の縁部に沿った足元位置に建築足場用幅木を取り付けることができるので、作業者は足場を踏み外すことなく作業を行うことができる。また、一旦第１及び第２の支柱間に落とし込んだ建築足場用幅木は必要に応じて持ち上げることができ、たとえ斜めに高く持ち上げたとしてもストッパ部材が緊結ポイントと干渉する位置関係にあるため建築足場用幅木は支柱間から脱落することがない。
【発明を実施するための最良の形態】
【００１１】
以下、本発明の具体的な実施の形態を図面に基づいて説明する。尚、以下の説明において建築足場用幅木１は図１における手前側を裏面側とし、奥側を表面側とする。また、図３における上下方向を上下方向とし、長手方向を左右方向とする。
図１〜図５に示すように、建築足場用幅木（以下、単に幅木という）１は正面視において長方形形状の外形を有する幅木本体２を備えている。図２に示すように幅木本体２の長辺をＬ１とする。幅木本体２は所定の厚みの鋼板をプレス成形することによって横断面が凹凸に屈曲形成されている。まず凹凸の状態について詳しく説明する。
図１及び図４に示すように、幅木本体２は上下方向中央に長手方向に沿って長尺平板形状のベース部３が形成されている。ベース部３は以下の説明における幅木本体２の厚み方向の長さ（深さ）の基準とされる。ベース部３と隣接する上下位置には長手方向に沿って補強凹部としての一対の凹溝５が互いに平行となるように形成されている。凹溝５はベース部３の縁部から立ち下がる第１壁部５ａと、底部５ｂと底部５ｂの縁部から立ち上がる第２壁部５ｃとから構成されている。両凹溝５に隣接する幅木本体２の上下縁位置には一対の外側補強溝６が互いに平行に形成されている。外側補強溝６は凹溝５の第２壁部５ｃからベース部３と面一となる天板部６ａと、天板部６ａの縁部から立ち下がる下垂部６ｂと内方に張り出す小張り出し部６ｃとから構成されている。小張り出し部６ｃは凹溝５の底部５ｂと面一とされている。幅木本体２のベース部３の左右両端は方形に切り欠きされた切り欠き部７が形成されている。
【００１２】
図１〜図５に示すように、ベース部３の裏面側であって切り欠き部７に面した位置には左右一対の係合板８が配設されている。
係合板８はプレス成形によって形成された鋼板からなり、固着部９と同固着部９から延出された張出し部１０とから構成されている。固着部９はベース部３の裏面にリベット１１によって固着されており、張出し部１０は側面視において図４に示すようにベース部３面に対して直交方向に延出されるとともに平面視において図２に示すように斜め外方向に向かって延出されている。張出し部１０の先端寄りは湾曲されて幅木本体２の長手方向に対して略平行とされている。張出し部１０には補強とずれ防止を兼ねたリブ１０ａが延出方向に沿って凹溝状に形成されている。
図３に示すように、本実施の形態では張出し部１０の先端は正面視においてちょうど幅木本体２の長手方向端縁と面一となるように配置されている。
このように構成された幅木本体２の左右両端寄り部分及び係合板８の張出し部１０によって第１及び第２の挟持部Ａ，Ｂが構成される。また、このように構成された幅木本体２は左右及び上下に対称形状とされている。
【００１３】
図１及び図３に示すように、幅木本体２の左右両端寄りであって上部側の凹溝５の底部５ｂにはそれぞれストッパ部材としてのストッパ１２が配設されている。以下、ストッパ１２の取り付け構造について説明する。
図５に示すように、左右の係合板８に隣接する位置であって、幅木本体２の上部側の凹溝５の底部５ｂには第１及び第２の長孔１３，１４が透設されている。第２の長孔にはコイルバネ１６を保持するための突片１７が形成されている。コイルバネ１６は突片１７に保持された状態で第２の長孔１４内に収容される。図５には幅木本体２の一方端寄り（右方）の第１及び第２の長孔１３，１４のみを図示するが、対応する他方端寄り（左方）には対称形状の第１及び第２の長孔１３，１４が形成されている。
同両長孔１３，１４位置には表裏から突起部材としての一対のスライド１５が対向配置されている。両スライド１５は同形状に構成されている。スライド１５の厚みは幅木本体２のベース部３から凹溝５の底部５ｂまでの距離、つまり凹溝５の深さＤ（図４参照）に対し１／２弱の厚みに構成されている。
【００１４】
両スライド１５は矢印形状の外形を有し、対向内面１５ａにはコイルバネ１６を収容するための凹部１９が形成されている。表裏から対向内面１５ａ同士を対向させた一対のスライド１５は凹部１９内にコイルバネ１６を収容した状態で左右一対のリベット１８ａ，１８ｂによって底部５ｂを間に介在させた状態で連結されている。両リベット１８ａ，１８ｂはそれぞれ第１及び第２の長孔１３，１４と直交状態に配置され、図７（ａ）及び（ｂ）に示すように、両長孔１３，１４の長手方向に沿って両リベット１８ａ，１８ｂは移動することが可能となっている。すなわち、両リベット１８ａ，１８ｂによって連結された一対のスライド１５は両リベット１８ａ，１８ｂとともにスライド移動する。図７（ａ）及び（ｂ）において右方のリベット１８ｂは第２の長孔１４における自身のコイルバネ１６方向（図上左方向）への移動に伴ってコイルバネ１６を圧縮する。
このようにリベット１８ａ，１８ｂに連結された状態のスライド１５によってストッパ１２が構成される。図１及び図３に示すように、左右のストッパ１２は互いに接近する方向（矢印形状のスライド１５の先端方向）にスライド移動して退避させることができる。そして、退避した状態からコイルバネ１６の付勢力によって自動的に離間する方向にスライド移動して原位置に復帰することとなる。
【００１５】
次に、このように構成された幅木１の使用方法について説明する。
図６に示すように、本実施の形態の幅木１は床面（地面）Ｇに裏面側を下にして寝かせ（リベット１１のヘッドが床面（地面）Ｇに当接する）、下側の幅木１の上に順次幅木１を重ねることで複数の幅木１を積載収納することが可能である。下側の幅木１は小張り出し部６ｃによって上側の幅木１の天板部６ａを支持し、上側の係合板８の張出し部１０は下側の張出し部１０の上部に覆い被せられることとなる。上下の張出し部１０はリブ１０ａが凹凸関係によって係合し、これによって積載した幅木１の横ずれが防止されている。
各段の幅木１の凹溝５の底部５ｂと上下に隣接する底部５ｂとはちょうど凹溝５の深さ分だけ離間することとなる。この際に、ストッパ１２を構成するスライド１５の厚みは上記のように凹溝５の深さＤに対し１／２弱の厚みに構成されているため、このように積み重ねてもスライド１５が邪魔になることはない。
もし、スライド１５の厚みが深さＤに対し１／２よりも厚かった場合には、上下２つのスライド１５の厚みの合計は深さＤ以上となってしまうため、上下が同じ向きでは幅木１を積載することができない。ストッパ１２の位置が各段でずれるように上下方向が交互になるように重ねなければならず非常に作業が煩雑となる。ところが、本実施の形態ではこのように構成されているため、幅木１の上下向きを特に気にすることなく積載していくことが可能である。
【００１６】
次に、仮設建築足場に本実施の形態の幅木１の着脱工程について説明する。
図８及び図９に示すように、建築現場において所定の間隔で立設配置された複数の金属製の支柱５１と、同支柱５１に対して直行する方向に延出された梁部材としての複数の金属製のブラケット５２と、足場の各階の床面としての複数の金属製の踏板５３とから基本的骨格が構築された仮設建築足場が、被建築物の外壁に沿って連設されているものとする。支柱５１の外周には上下方向に一定間隔で緊結ポイント５４が形成されている。緊結ポイント５４は４つの緊結枠５５の集合体である。緊結枠５５は例えば図８や図１３等に示すように、平面視において支柱５１の外周をコ字状に包囲する包囲壁からなる枠体であり、１８０度対向する２つの緊結枠５４を１組として、上下方向に９０度ずれた２組４つの緊結枠５４から構成されている。ブラケット５２はその両端に形成されたくさび片５６を緊結枠５５に上方から挿入させることで片持ち状に支持されている。踏板５３は長手方向両端に形成されたフック５７によって左右のブラケット５２間に架設されている。
幅木１の第１及び第２の挟持部Ａ，Ｂにおける幅木本体２の端部寄りと張出し部１０先端の間隔は支柱５１の直径よりも若干幅広とされる。図１５に示すように幅木１の装着状態において第１及び第２の挟持部Ａ，Ｂは支柱５１の半分弱の部分を挟持することとなる。
また、幅木１が装着される左右の支柱５１の内側間隔Ｌ２（図１３参照）に対して本実施の形態の幅木１の全長Ｌ１（図１３参照）は長いため、第１及び第２の挟持部Ａ，Ｂによって支柱５１が挟持された状態では前後方向（図１３における手前から図面奥方向）から支柱５１間に配置させることはできない（同様に支柱５１間に配置されている場合に前後方向に取り出すことはできない）。
【００１７】
このような部材の寸法関係において、まず幅木１を取り付ける際の手順について説明する。
図１０に示すように正面視において幅木１を斜めに傾けて左右の支柱５１間に介在させる。そして幅木１の傾けた下部側、つまり本実施の形態においては第２の挟持部Ｂ側を先に一方の支柱５１に挟持させこれを基部として幅木１の上部側、つまり第１の挟持部Ａ側を下方に向かって回動させていく。
図１１及び図１６（ａ）に示すように、幅木１の第１の端部側は回動に伴って、他方の支柱５１の緊結ポイント５４に接近し、交差する。この時、第１の挟持部Ａとなる幅木本体２端部寄りと張出し部１０の間隔は緊結ポイント５４と干渉しないよう余裕が取られているが、ストッパ１２においては裏面側のスライド１５が内側に張り出した緊結枠５５の上部に干渉してしまい、それ以上の幅木１の回動が阻止されることとなる。そのため、図１２及び図１６（ｂ）に示すように、作業者はストッパ１２をスライド移動させスライド１５と緊結ポイント５４との干渉状態を解消させる。この操作によって幅木１を再び下方に向かって回動させることが可能となる。ストッパ１２はコイルバネ１６の付勢力によって自動的に原位置に復帰する。
そして、図１３に示すように幅木１を左右のブラケット５２上に架設させるとともに第１及び第２の挟持部Ａ，Ｂによって左右の支柱５１を挟持させることで取り付けは完了する。
一方、一旦取り付けた幅木１を取り外す場合には今と逆の操作を行う。まず、図１３の状態から第２の挟持部Ｂ側を基部として第１の挟持部Ａ側を上方に向かって回動させていく。すると、図１４及び１６（ｃ）に示すように、取り付け時とは逆に裏面側のスライド１５は内側に張り出した緊結枠５５の下部に干渉してしまい、それ以上の幅木１の回動が阻止されることとなる。そのため、図１５及び図１６（ｂ）に示すように、作業者はストッパ１２をスライド移動させスライド１５と緊結ポイント５４との干渉状態を解消させる。この操作によって幅木１を再び上方に向かって回動させることが可能となる。ストッパ１２はコイルバネ１６の付勢力によって自動的に原位置に復帰する。
そして、図１０に示すように幅木１を支柱５１間から前後方向に取り出せるように大きく傾けた状態とし、前後方向に取り出すようにする。
【００１８】
このように構成することにより本実施の形態では以下のような効果が奏される。
（１）作業者が踏板１３の上を移動する場合又は作業中に足の位置を動かす場合において、上記実施の形態の幅木１が配設されていることにより踏板１３から踏み外しにくくなる。従って建築作業に集中でき、作業の効率化を図ることができる。
（２）幅木１が作業の邪魔となって持ち上げざるを得ない場合であっても、上記のような工程でストッパ１２をスライド移動させなければ支柱５１間から取り出すことはできないため、幅木１の持ち上げるだけで脱落することはないということが、安心感につながり作業の効率が上がる。
（３）ストッパ１２は幅木本体２の表裏に操作可能なスライド１５を突起させているため、作業者の位置に応じて表裏いずれからもストッパ１２を操作することが可能である。また、ストッパ１２はコイルバネ１６の付勢力によって自動的に原位置に復帰するため、作業者がいちいち緊結ポイント５４と干渉する原位置にストッパ１２を戻す必要がない。
また、幅木本体２の裏面側のスライド１５が緊結ポイント５４と干渉するわけであるが、表面側のスライド１５も同形状なので表面側のスライド１５を操作してストッパ１２を退避させる場合には裏面側のスライド１５の干渉状態を確認すればどのくらい退避させればよいかの判断が可能となっている。
（４）図６に示すように、複数の幅木１を積載する際、ストッパ１２が邪魔になることがないので幅木１の上下方向を気にしながら積載する必要がなく、作業及び運搬の効率化を図ることができる。
【００１９】
なお、この発明は前記実施の形態に限定されるものではなく、次のように変更して具体化することも可能である。
・上記実施の形態における幅木本体２や係合板８の形状は一例であって、これに限定されることはない。
・上記実施の形態におけるストッパ１２の構成は一例であって、これに限定されることはない。上記実施の形態ではストッパ１２幅木本体２の長手方向に沿ってスライド移動させていたが、これ以外の退避方向を排除するものではない。
・上記実施の形態におけるストッパ１２は表裏面に同形状のスライド１５を突起させるようにしていたが、必ずしもその必要はない。また、表裏のスライド１５を同形状に構成する必要もない。
・幅木本体２等の各部材の材質は金属製としたが、本発明の目的を達成できればその他の素材でも構わない。
その他、本発明の趣旨を逸脱しない態様で実施することは自由である。
【図面の簡単な説明】
【００２０】
【図１】本発明の実施の形態の幅木の斜視図。
【図２】同じ幅木の一部省略平面図。
【図３】同じ幅木の一部省略正面図。
【図４】同じ幅木の側面図。
【図５】同じ幅木におけるスライドの取り付け構造を説明する分解斜視図。
【図６】同じ幅木が複数積載された状態を説明する側面図。
【図７】同じ幅木におけるストッパの動作を説明するための断面図であって（ａ）は移動前、（ｂ）は移動後。
【図８】同じ幅木が支柱に対して係合された状態の要部斜視図。
【図９】同じ幅木が所定の足場に連設された状態の要部拡大平面図。
【図１０】同じ幅木を仮設建築足場に取り付け又は取り外しをする際の幅木と支柱との配置関係を説明する図であって、幅木が前後方向に取り出し可能なように傾けて配置した状態の説明図。
【図１１】同じ幅木を仮設建築足場に取り付けする際の幅木と支柱との配置関係を説明する図であって、幅木のストッパが緊結枠と干渉している状態の説明図。
【図１２】同じ幅木を仮設建築足場に取り付けする際の幅木と支柱との配置関係を説明する図であって、幅木のストッパと緊結枠との干渉を解除した状態の説明図。
【図１３】同じ幅木を仮設建築足場に取り付け又は取り外しをする際の幅木と支柱との配置関係を説明する図であって、幅木がブラケット上にセットされた状態の説明図。
【図１４】同じ幅木を仮設建築足場から取り外す際の幅木と支柱との配置関係を説明する図であって、幅木のストッパが緊結枠と干渉している状態の説明図。
【図１５】同じ幅木を仮設建築足場から取り外す際の幅木と支柱との配置関係を説明する図であって、幅木のストッパと緊結枠との干渉を解除した状態の説明図。
【図１６】図１２〜図１４におけるはストッパと支柱の緊結枠との干渉関係を説明する要部平面図であって（ａ）は幅木取り付け時において干渉している状態、（ｂ）は（ａ）又は（ｃ）の状態からストッパをスライド移動させた状態、（ｃ）は幅木取り外し時において干渉している状態。
【符号の説明】
【００２１】
１…建築足場用幅木、２…幅木本体、１２…ストッパ部材としてのストッパ、５１…支柱、５２…梁部材としてのブラケット、５３…踏板、５４…緊結ポイント、Ａ…第１の挟持部、Ｂ…第２の挟持部。
【図１】
2006241778.tif 000003
【図２】
2006241778.tif 000004
【図３】
2006241778.tif 000005
【図４】
2006241778.tif 000006
【図５】
2006241778.tif 000007
【図６】
2006241778.tif 000008
【図７】
2006241778.tif 000009
【図８】
2006241778.tif 000010
【図９】
2006241778.tif 000011
【図１０】
2006241778.tif 000012
【図１１】
2006241778.tif 000013
【図１２】
2006241778.tif 000014
【図１３】
2006241778.tif 000015
【図１４】
2006241778.tif 000016
【図１５】
2006241778.tif 000017
【図１６】
2006241778.tif 000018